(57)【要約】      （修正有）【課題】オートサンプラの基台（試料容器設置台）部に大きな試料容器を載せた場合、試料容器が倒れたり傾いたりすること無く安定的に搭載させる水質分析用オートサンプラ基台を提供する。【解決手段】オートサンプラの基台３（試料容器設置台）部の両側に、基台３と同じ厚みの可動範囲１８０°以上の折り畳み基台５および６を回転自在に取り付けて、前記折り畳み基台５、６を展開した状態で、基台３は水平状態となり、上面に試料容器を安定的に搭載することが可能となるように基台３を折り畳み構造にする。【選択図】図１
0003160913.tif 000002
【実用新案登録請求の範囲】
【請求項１】
水質分析に用いられるとともに、支柱および支柱上部に取り付けられるロータリーバルブ部と支柱下部を固定する基台からなるオートサンプラにおいて、該オートサンプラの基台部が、展開すると面積の拡張が可能な折り畳み構造であることを特徴とするオートサンプラ基台。
【考案の詳細な説明】
【技術分野】
【０００１】
本考案は、液体試料の成分分析、検査、管理等に用いられる水質分析計用オートサンプラに関する。
【背景技術】
【０００２】
液体試料中のＴＯＣ（Ｔｏｔａｌ Ｏｒｇａｎｉｃ Ｃａｒｂｏｎ）濃度測定のためにＴＯＣ計（全有機炭素計）が使用されている。ＴＯＣ計は、例えば排水や河川水などの汚濁度を調べるために、試料水中に含まれる有機物量を測定する装置として用いられる。有機物の種類は数多く存在するため、個々の有機物の濃度を全て測定することは現実的に不可能である。そのため、ＴＯＣ計においては、試料水中の全ての有機物を燃焼酸化させ、この時に発生する二酸化炭素の濃度を測定し、炭素量を演算することにより、有機物の総量を得ている。
【０００３】
しかし、試料水中には、溶存している二酸化炭素、炭酸水素イオン、炭酸イオン、懸濁体炭酸塩類等の無機体炭素（ＩＣ）が含まれているため、有機物由来の二酸化炭素濃度を精度良く測定するには、予め試料水中のＩＣを除去したり、試料水中のＴＣ（全炭素）とＩＣを別々に測定し、ＴＣからＩＣを差し引いたりする必要がある。
【０００４】
予め試料水中のＩＣを除去する方法としては、試料水にＩＣ除去液として酸を添加し、ｐＨを１〜３にして通気を行うことにより、ＩＣを二酸化炭素に変換して除去する方法が用いられている（ＪＩＳ−Ｋ−０８０５）。
【０００５】
また、試料水はＴＯＣ計の希釈部において希釈水と混合され、一定の割合に希釈された後に燃焼酸化されることもあるが、上記希釈部とＩＣ除去処理部とを一体化させ、装置構成を簡素化させることが行われている（特許文献１参照）。
【０００６】
また、試料の供給については、試料数が多い場合には、オートサンプラが用いられ、多試料から選択採取した試料がＴＯＣ計の採取口に吸引される。
【先行技術文献】
【特許文献】
【０００７】
【特許文献１】特開平７−９８３１０号公報
【考案の概要】
【考案が解決しようとする課題】
【０００８】
図４に従来のオートサンプラ２４の正面図（ａ）と側面図（ｂ）を示す。支柱２および支柱上部に取り付けられるロータリーバルブ部４と支柱下部を固定する基台２６からなるオートサンプラ２４において、試料容器設置台を兼ねる該基台２６には試料容器（図示せず）が乗載され、樹脂チューブ７によってロータリーバルブ部４と試料容器（図示せず）が接続される。
【０００９】
しかし、試料の種類が多く、任意の形状や大きさの試料容器が使用可能なオートサンプラにおいて、試料容器が大きい場合、全ての試料容器を基台に乗せることができないため、基台の端に位置する試料容器は傾き、安定性に欠ける状態となる。また、試料採取の応答性がよく、試料のムダを少なくするために該チューブはできるだけ短い距離で接続されるのが望ましいが、試料容器の不安定さを避けるため基台の外側に置くと長い接続チューブが必要になる。
【課題を解決するための手段】
【００１０】
本考案は前記課題を解決するために、水質分析に用いられるとともに、支柱および支柱上部に取り付けられるロータリーバルブ部と支柱下部を固定する基台からなるオートサンプラにおいて、該オートサンプラの基台部を、展開すると面積の拡張が可能な折り畳み構造とする。
【考案の効果】
【００１１】
オートサンプラの基台（試料容器設置台）部を折り畳み可能な構造にすることにより、試料容器が大きくて基台に乗り切らない場合には折り畳み基台部を展開することにより全試料容器を安定的に基台に乗せることが可能となり、また全試料容器をロータリーバルブ部の近くにまとめて設置することができるので、接続用樹脂チューブも短くてよい。さらに試料容器が小さい場合は折り畳み基台部を折り畳んだままで使用可能である。
【図面の簡単な説明】
【００１２】
【図１】本考案にかかわる実施例を示すオートサンプラの正面図（ａ）と側面図（ｂ）および折り畳み基台の収納時を示す間接部の詳細図（ｃ）である。
【図２】本考案にかかわる実施例を示すオートサンプラの折り畳み基台の展開状態および該基台に試料容器を搭載した状態を示す図（ａ）と折り畳み基台の展開時を示す間接部の詳細図（ｂ）である。
【図３】本考案のオートサンプラをＴＯＣ計に接続したときの構成を示す概念図である。
【図４】従来のオートサンプラを示す正面図（ａ）と側面図（ｂ）である。
【考案を実施するための形態】
【００１３】
図１に示すように、オートサンプラの基台の両側に、前記基台と同じ厚みの可動範囲１８０°以上の折り畳み基台を回転自在に取り付けることによって、前記折り畳み基台を折り畳んだ状態および展開した状態ともに、基台は水平状態となり、上面に試料容器を安定的に搭載することが可能となる。
【実施例】
【００１４】
図１に本考案にかかわるオートサンプラの実施例の正面図（ａ）と側面図（ｂ）および折り畳み基台の収納時を示す間接部の詳細図（ｃ）を示す。さらに図２には本考案にかかわるオートサンプラの折り畳み基台５および６を展開しその上に試料容器を搭載した状態を示す図（ａ）と折り畳み基台の展開時を示す間接部の詳細図（ｂ）を示す。
【００１５】
支柱２および支柱上部に取り付けられるロータリーバルブ部４と支柱下部を固定する基台３からなるオートサンプラ１において、試料容器設置台を兼ねる該基台３には複数の試料容器２５が乗せられ、ロータリーバルブ部４のヘッド４ａに接続された複数の樹脂チューブ７によってロータリーバルブ部４と試料容器２５が接続される。また、該ヘッド４ａの中央には共通ポート１０が設けられ、ロータリーバルブ部４によって選択された試料容器２５の試料がＴＯＣ計１１（図３）の試料注入器１５（図３）によって吸引され共通ポート１０よりＴＯＣ計１１に送られる。
【００１６】
本考案にかかわるオートサンプラの折り畳み基台の展開および収納時の間接部分の構成と作動を、図１の折り畳み基台の収納時を示す間接部の詳細図（ｃ）で収納時を、図２の折り畳み基台の展開時を示す間接部の詳細図（ｂ）で展開時を説明する。基台３および折り畳み基台５の両端部にそれぞれピン９ａおよび９ｂが固定され、その２個のピンを楕円状のリング８で図示のとおりに係着することにより、折り畳み基台５は基台３に対し回転自在に取り付けられ収納展開が可能となる。
【００１７】
図３によって本考案にかかわるオートサンプラ１および該オートサンプラを接続したＴＯＣ計１１の構成と作動を説明する。マルチポートバルブ１３の中央のポート１３ｆに試料注入器１５が連結されており、必要に応じて選択されたポートが中央のポート１３ｆと接続され、さらに試料注入器１５と接続される。またオートサンプラ１とＴＯＣ計１１との接続は、マルチポートバルブ１３のポート１３ａとオートサンプラ１の共通ポート１０によって行われる。試料注入器１５は必要に応じてスパージガスを導入できるように、スパージガスの導入口（図示せず）を有している。
【００１８】
プランジャ１６の摺動（図３においては上下動）により、試料注入器１５における試料の吸引・放出が行われる。マルチポートバルブ１３のポート１３ａにはオートサンプラ１の共通ポート１０に接続され、試料容器２５から選択吸引された試料が送られる。ポート１３ｂは試料に添加するための酸性の液体を内蔵した酸容器１２が接続される。ポート１３ｃはバックグラウンド確認用の純水を収納する純水容器１４が接続される。
【００１９】
マルチポートバルブ１３のポート１３ｅはＴＣ燃焼管１８の上部に接続されている。またキャリアガスはＴＣ燃焼管１８の上部横から常時供給されている。ＴＣ燃焼管１８内には、試料中のＴＣ（全炭素）を二酸化炭素に変換するための酸化触媒（図示せず）が内蔵されている。燃焼部ＦはＴＣ燃焼管１８とＴＣ炉１９によって構成される。燃焼部Ｆを通過した試料中の二酸化炭素は除湿器２７で除湿された後検出器２１で検出され、電気信号としてデータ処理部２２で処理されＴＯＣ濃度として記録されるとともに、表示器２３でＴＯＣ濃度として表示される。検出器２１としてはＮＤＩＲ（非分散型赤外分析法）が一般に使用されている。
【００２０】
マルチポートバルブ１３のポート１３ｄはアブソーバ２０に接続されている。通気処理中、試料注入器１５はアブソーバ２０に接続されており、スパージガス中の二酸化炭素、すなわち試料から揮散したＩＣはアブソーバ２０を通過する際に除去されるが、試料から揮散したＰＯＣ（揮発性有機体炭素）は除去されない。したがって、必要により試料注入器１５を経由したスパージガスをＰＯＣ燃焼管（図示せず）で燃焼させることによりＰＯＣの測定を行うことができる。
【００２１】
ＮＰＯＣ（不揮発性有機体炭素）測定時はまず試料注入器１５をポート１３ａに接続し、プランジャ１６の操作により規定量の試料を試料注入器１５に吸入し、次いで酸容器１２に接続し適量の酸を吸入した後、マルチポートバルブ１３をポート１３ｆに接続した状態で試料注入器１５にスパージガスを導入することにより無機体炭素除去を行う。
【００２２】
次に試料注入器１５をＴＣ燃焼管１８に接続し、プランジャ１６の操作によりＴＣ燃焼管１８に試料を注入すると、試料に含まれる有機体炭素が二酸化炭素に変換され、キャリアガス注入部１７から導入されるキャリアガス流と共に除湿器２７および検出器２１を通過し、その濃度が測定される。ポート１３ｃに接続された純水を上述同様ＮＰＯＣ測定することで、バックグラウンド補正をすることも可能である。
【００２３】
なお、説明に使用した図面において同一の符号で示されるものは同一物を表す。
【符号の説明】
【００２４】
１  オートサンプラ
２  支柱
３  基台
４  ロータリーバルブ部
４ａ  ヘッド
５  折り畳み基台
６  折り畳み基台
７  樹脂チューブ
８  リング
９ａ  ピン
９ｂ  ピン
１０  共通ポート
１１  ＴＯＣ計
１２  酸容器
１３  マルチポートバルブ
１３ａ  ポート
１３ｂ  ポート
１３ｃ  ポート
１３ｄ  ポート
１３ｅ  ポート
１３ｆ  ポート
１４  純水容器
１５   試料注入器
１６  プランジャ
１７  キャリアガス注入部
１８  ＴＣ燃焼管
１９  ＴＣ炉
２０  アブソーバ
２１  検出器
２２  データ処理部
２３  表示器
２４  オートサンプラ
２５  試料容器
２６  基台
２７  除湿器
Ｆ  燃焼部
【図１】
0003160913.tif 000003
【図２】
0003160913.tif 000004
【図３】
0003160913.tif 000005
【図４】
0003160913.tif 000006
【手続補正書】
【提出日】平成22年5月10日(2010.5.10)
【手続補正１】
【補正対象書類名】実用新案登録請求の範囲
【補正対象項目名】請求項１
【補正方法】変更
【補正の内容】
【請求項１】
水質分析に用いられるとともに、支柱および支柱上部に取り付けられるロータリーバルブ部と支柱下部を固定する基台からなるオートサンプラにおいて、該オートサンプラの基台部が、展開すると面積の拡張が可能な折り畳み構造であることを特徴とするオートサンプラ。